(57)【特許請求の範囲】
【請求項１】
楽器を演奏可能な状態で携帯するための楽器用ホルダーであって、
前記楽器に嵌合される第１の環状部と、
前記第１の環状部と連結され、前記楽器に嵌合される第２の環状部と、
前記第２の環状部に連結され、前記楽器を吊下するストラップ部と、
前記第１の環状部と前記第２の環状部の連結部において、これら第１及び第２の環状部の径の大きさを調節する第１の調節部と、
前記第２の環状部と前記ストラップ部の連結部において、前記第２の環状部の径の大きさを調節する第２の調節部と
を備えることを特徴とする楽器用ホルダー。
【請求項２】
前記ストラップ部は、前記第２の調節部に係止された一対の紐部材で形成され、前記一対の紐部材の端部を相互に重ね合わせた重複部を有し、
前記重複部の両端には、一方の紐部材の端部が係止されるとともに、他方の紐部材が挿通される重複長調節部を有する
ことを特徴とする請求項１に記載の楽器用ホルダー。
【請求項３】
前記第１の環状部における、前記楽器と最下位置で接触する部分に取付けられた滑止部材をさらに備えることを特徴する請求項１又は２に記載の楽器用ホルダー。
【請求項４】
前記第１の環状部は、紐部材の両端を前記第１の調節部で係止して環状に形成され、
前記第２の環状部は、前記紐部材の、前記第１の調節部で係止された部分の余剰部分を前記第２の調節部で係止して環状に形成され、
前記ストラップ部は、前記紐部材の、前記第２の調節部で係止された部分の余剰部分で形成されている
ことを特徴とする請求項１乃至３のいずれかに記載の楽器用ホルダー。
【発明の詳細な説明】
【技術分野】
【０００１】
本発明は、楽器用ホルダーに関する。
【背景技術】
【０００２】
従来より、楽器に取り付けられたストラップを首や肩から吊り下げる楽器用ホルダーが提案されている。この楽器用ホルダーは、例えば、管楽器等に使用される場合には、楽器の重量によって生じる指に係る負荷を軽減させるとともに、楽器が落下してしまうことを防止することができる。
【０００３】
このような管楽器用のストラップには、例えば、特許文献１がある。この楽器用ホルダーでは、例えば、サックスやクラリネット等の管楽器に取り付け、両肩から吊り下げるとともに、腹部のベルトで固定することで、指に係る負荷を軽減させるとともに、使用者の首にかかる負担についても軽減させるものである。
【先行技術文献】
【特許文献】
【０００４】
【特許文献１】特開２００８−３０４９３６号
【発明の概要】
【発明が解決しようとする課題】
【０００５】
しかしながら、特許文献１に開示された発明は、首に巻き付ける首掛け帯や、腹部に巻き付ける補助帯等で構成され、首及び胸部を締め付けて固定するものであるため、例えば、子供や高齢者などにとってはその使用方法が煩雑であり、楽器用ホルダーを装着又は脱着するという作業が煩雑であるという問題があった。
【０００６】
そこで、本発明は、上記のような問題を解決するものであり、子供や高齢者が使用する場合であっても、簡易に管楽器等を保持できる楽器用ホルダーを提供することを目的とする。
【課題を解決するための手段】
【０００７】
上記課題を解決するために、本発明は、楽器を演奏可能な状態で携帯するための楽器用ホルダーであって、楽器に嵌合される第１の環状部と、第１の環状部と連結され、楽器に嵌合される第２の環状部と、第２の環状部に連結され、楽器を吊下するストラップ部と、第１の環状部と第２の環状部の連結部において、これら第１の環状部及び第２の環状部における径の大きさを調節する第１の調節部と、第２の環状部とストラップ部の連結部において、第２の環状部における径の大きさを調節する第２の調節部とを備える。
【０００８】
このような発明によれば、第１の環状部及び第２の環状部における径の大きさを調節して楽器を嵌合し、楽器を嵌合した状態でストラップ部を首や手に掛けることで、楽器を吊下して保持することができるので、複雑な装着又は脱着の作業を要せず、簡易に管楽器等を保持することができる。また、本発明では、第１の環状部及び第２の環状部における径の大きさを調節可能としているので、例えば、クラリネットなどの管楽器や、トライアングル、ギロ、ウッドブロック、タンバリン、マラカス、カバサ、クラベス、及びマレット等の大きさや形状が異なる様々な楽器に対応して保持することができる。
【０００９】
上記発明において、ストラップ部は、第２の調節部に係止された一対の紐部材で形成され、一対の紐部材の端部を相互に重ね合わせた重複部を有し、重複部の両端には、一方の紐部材の端部が係止されるとともに、他方の紐部材が挿通される重複長調節部を有することが好ましい。この場合、重複部は紐部材が二重となるため、重量のある楽器を吊下した場合であっても、首に係る負荷を軽減させ、長時間の使用が可能となる。特に、本発明では、重複長調節部を他方の紐部材上に挿通させる構成となっているため、他方の紐部材上の位置を変更させることができるので、ユーザや楽器に対応して、ストラップ部の環状の径を調節することができる。
【００１０】
上記発明において、第１の環状部における、楽器と最下位置で接触する部分に取付けられた滑止部材をさらに備えることが好ましい。この場合には、楽器と接する部分に大きな摩擦力が生じ、楽器が第１の環状部から抜け落ちてしまうことを防止することができる。なお、この滑止部材としては、例えば、ゴムなどの弾性体や、接着テープなどの粘着性を有する部材が含まれる。
【００１１】
上記発明において、第１の環状部は、紐部材の両端を第１の調節部で係止して環状に形成され、第２の環状部は、紐部材の、第１の調節部で係止された部分の余剰部分を第２の調節部で係止して環状に形成され、ストラップ部は、紐部材の、第２の調節部で係止された部分の余剰部分で形成されていることが好ましい。この場合には、一本の紐部材によって、第１の環状部、第２の環状部、及びストラップ部を形成させることができるので、簡易に楽器を吊下して保持することができる。
【発明の効果】
【００１２】
以上述べたように、この発明によれば、子供や高齢者が使用する場合であっても、簡易に管楽器等を保持することができる。
【図面の簡単な説明】
【００１３】
【図１】実施形態に係る楽器用ホルダーの全体構成を示す外観図である。
【図２】実施形態に係る楽器に楽器用ホルダーを嵌合させた一例を示す斜視図である。
【図３】実施形態に係る楽器用ホルダーを首にかけて楽器を吊下した状態を示す説明図である。
【図４】実施形態に係る滑止部材の変更例を示す斜視図である。
【図５】変更例に係る調節部の貫通孔の内部構造を示す側面図である。
【図６】変更例に係る楽器用ホルダーの全体構成を示す外観図である。
【図７】変更例に係る楽器用ホルダーの全体構成を示す外観図である。
【図８】変更例に係る留め具の構成を示す平面図である。
【図９】変更例に係る使用時における留め具の係止状態を示す説明図である。
【図１０】変更例に係る留め具の構成を示す平面図である。
【図１１】変更例に係る使用時における留め具の係止状態を示す説明図である。
【発明を実施するための形態】
【００１４】
以下に添付図面を参照して、本発明に係る楽器用ホルダーの実施形態を詳細に説明する。図１は、本実施形態に係る楽器用ホルダー１の全体構成を示す外観図であり、図２は、本実施形態に係る楽器に楽器用ホルダーを嵌合させた一例を示す斜視図であり、図３は、本実施形態に係る楽器用ホルダーを首にかけて楽器を吊下した状態を示す説明図である。なお、本実施形態では、楽器としてリコーダーを用いた場合を例に説明する。
【００１５】
楽器用ホルダー１は、楽器３を演奏可能な状態で携帯するための楽器用のストラップであって、図１に示すように、一本の紐部材１０の両端が留め具５１により固定されている。そして、この紐部材１０をふたつ折りにして重ねた状態で、複数の調節部２０（２１，２２，２３，２４）を紐部材１０，１０上の所定位置に係止させることで、第１の環状部１１と、第２の環状部１２と、ストラップ部１３とが形成されるようになっている。
【００１６】
紐部材１０は、伸縮性のある軟質合成樹脂、革、布又は繊維で形成された紐であり、楽器３を嵌合して首から吊下することができる程度の所定の長さを有している。また、本実施形態において、紐部材１０は、その断面が略円形となるように形成されているが、本発明は、これに限定するものではなく、例えば、扁平な帯状としてもよい。
【００１７】
留め具５１は、合成樹脂や、金属製、或いは木製で形成され、紐部材１０，１０を纏めて括り、固定する部材である。本実施形態において、留め具５１は、紐部材１０，１０の両端１０ａ，１０ｂ部分に固定されており、紐部材１０を環状に形成させている。
【００１８】
調節部２０（２１，２２，２３，２４）は、ガラス材や金属、陶器、硬質樹脂、或いは木製部材等により球状や多角形に形成され、内部を貫通する貫通孔２０ａ（２１ａ，２２ａ，２３ａ，２４ａ）を有するビーズ部材である。そして、本実施形態では、この貫通孔２０ａ（２１ａ，２２ａ，２３ａ，２４ａ）に紐部材１０，１０を挿通させることで、紐部材１０，１０上の所定位置を係止するとともに、摺動可能となっている。特に、本実施形態において、貫通孔２０ａ（２１ａ，２２ａ，２３ａ，２４ａ）の径は、２本の紐部材１０，１０の径の合計よりも若干小さく設定されており、貫通孔に摺動抵抗を与えるようになっている。これにより、調節部２０の摺動には多少の押圧力が必要とし、通常時は紐部材１０，１０上の所定の位置で固定されるようになっている。
【００１９】
そして、これらの調節部２０（２１，２２，２３，２４）を、紐部材１０，１０上の所定位置に固定させることで、第１の環状部１１と、第２の環状部１２と、ストラップ部１３とを形成させている。詳述すると、先ず、第１の環状部１１は、紐部材１０の略中心から所定位置離れた紐部材１０，１０を第１の調節部２１で係止させることで、紐部材１０の先端側に環状を形成させている。第２の環状部１２は、図１に示すように紐部材１０，１０の、第１の調節部２１で係止された部分の余剰部分を第２の調節部２２で係止させることで、環状に形成されている。特に、本実施形態では、第２の環状部１２は、第１の環状部１１と連結されており、第１の調節部２１が摺動されることで、第１の環状部１１及び第２の環状部１２の径の大きさを調節するようになっている。
【００２０】
ストラップ部１３は、第２の環状部１２と連結されており、紐部材１０，１０の、第２の調節部２２で係止された部分の余剰部分で形成されている。特に、本実施形態では、ストラップ部１３には第２の環状部１２と連結されており、第２の調節部２２が摺動されることで、ストラップ部１３及び第２の環状部１２の径の大きさを調節するようになっている。さらに、ストラップ部１３には、第３の調節部２３、及び第４の調節部２４を備えており、第３の調節部２３と第４の調節部２４が摺動されることで、首や手を掛けるための環状１３ａを形成させている。
【００２１】
具体的には、第３の調節部２３は第２の調節部２２側に配置され、第３の調節部２３が摺動されることで、環状１３ａの最下位置を決定させるとともに、第２の調節部２２から環状１３ａの最下位置までの長さを調節可能としている。また、第４の調節部２４は、留め具５１側に配置され、第４の調節部２４が摺動されることで、第３の調節部２３から留め具５１までに至る範囲に環状１３ａを形成させるとともに、この環状１３ａの径の大きさを調節可能としている。
【００２２】
なお、本実施形態では、第１の環状部１１には滑止部材４１が取り付けられている。この滑止部材４１は、例えば、ゴムなどの弾性や、接着テープなどの粘着性を有する部材によって形成され、紐部材１０を挿通させる貫通孔４１ａを有し、楽器３と最下位置で接触する部分に配置されている。本実施形態において、この滑止部材４１は、ゴムなどの弾性や、接着テープなどの粘着性を有する部材で構成したが、本発明は、これに限定するものではなく、楽器３の落下を防止することができればよく、例えば、図４に示すように、調節部２０（２１，２２，２３，２４）と同様なビーズ部材４２を用いてもよい。
【００２３】
そして、このような楽器用ホルダー１を楽器３に嵌合させる場合には、先ず、図２に示すように、第１の環状部１１に楽器３を挿通させ、楽器３の頭部管３２と中部管３４の間に生じる凸部３３の下部に滑止部材４１を配置させ、第１の調節部２１を摺動させることで、第１の環状部１１の径の大きさを調節して、第１の環状部１１を楽器３に嵌合させる。
【００２４】
また、第１の環状部１１が楽器３に嵌合された後に、第２の環状部１２に楽器３を挿通し、第２の調節部２２が頭部管３２に位置するように配置させ、第２の調節部２２を摺動させることで、第２の環状部１２の径の大きさを調節して、第２の環状部１２を楽器３に嵌合させる。なお、本実施形態では、滑止部材４１を凸部３３の下部に配置させたが、本発明は、これに限定するものではなく、例えば、表面に凹凸がない頭部管３２上に滑止部材４１を配置させてもよい。この場合であっても、第１の調節部２１と、第２の調節部２２とを摺動させて、第１の環状部１１と、第２の環状部１２とを楽器３に嵌合させることで、楽器３を楽器用ホルダー１によって、しっかりと保持することができる。
【００２５】
次いで、第２の環状部１２を楽器と嵌合させた後に、第３の調節部２３を摺動させ、第２の調節部２２から環状１３ａの最下位置までの長さを決定させる。そして、図３に示すように、ストラップ部１３の環状１３ａをユーザ２の首に掛けるとともに、第４の調節部２４を摺動させることによりその径の大きさを調節し、楽器３を吊下させるようになっている。このように第４の調節部２４によって、環状１３ａの径を調節させることで、第４の調節部２４と留め具５１との間の紐部材１０，１０は纏められることとなる。また、第２の調節部２２と第３の調節部２３との間の紐部材１０，１０についても纏められることとなり、楽器３等が引っ掛かることを防止することができる。
【００２６】
なお、本実施形態において、調節部２０は、紐部材１０，１０を挿通させる貫通孔２０ａを有するビーズ部材としたが、本発明はこれに限定するものではなく、紐部材１０，１０を挟み込み、強く留めるとともに、第１の環状部１１，第２の環状部１２、及びストラップ部１３の径の大きさを調節させることができればよく、種々の変更を加えることができ、例えば、内部のバネやスプリングの弾性力で紐部材１０，１０を把持するクリップ等を用いてもよい。
【００２７】
（作用・効果）
このような本実施形態によれば、第１の環状部１１及び第２の環状部１２の径の大きさを調節して楽器３を嵌合し、楽器３を嵌合した状態でストラップ部１３を首や手に掛けることで、楽器３を吊下して保持することができるので、複雑な装着又は脱着の作業を要せず、簡易に管楽器等を保持することができる。また、本発明では、第１の環状部１１及び第２の環状部１２の径の大きさを調節可能としているので、大きさや形状が異なる様々な楽器３に対応して保持することができる。
【００２８】
また、本実施形態によれば、第１の環状部１１における、楽器３と最下位置で接触する部分に取り付けられた滑止部材４１をさらに備えているので、楽器と接する部分に大きな摩擦力が生じ、楽器３が第１の環状部１１から抜け落ちてしまうことを防止することができる。
【００２９】
さらに、本実施形態によれば、第１の環状部１１は、紐部材１０の両端を第１の調節部２１で係止して環状に形成され、第２の環状部１２は、紐部材１０の、第１の調節部２１で係止された部分の余剰部分を第２の調節部２２で係止して環状に形成され、ストラップ部１３は、紐部材１０の、第２の調節部２２で係止された部分の余剰部分で形成されているので、一本の紐部材１０によって、第１の環状部１１、第２の環状部１２、及びストラップ部１３を形成させ、簡易に楽器を吊下して保持することができる。
【００３０】
さらに、本実施形態によれば、ストラップ部１３は、第３の調節部２３、及び第４の調節部２４を備えており、第３の調節部２３と第４の調節部２４が摺動されることで、首や手を掛けるための環状１３ａを形成させているので、様々な楽器３やユーザの体型などに対応して保持することができる。
【００３１】
［変更例］
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。図５は、本変更例に係る調節部の貫通孔の内部構造を示す側面図である。なお、本変更例において、上述した実施形態及び変更例と同一の構成要素には同一の符号を付し、その機能等は特に言及しない限り同一であり、その説明は省略する。
【００３２】
上述した実施形態において、調節部２０（２１，２２，２３，２４）の貫通孔２０ａ（２１ａ，２２ａ，２３ａ，２４ａ）は、両端にそれぞれ一つの開口部が設けられた構成となっているが、本発明はこれに限定するものはなく、例えば、図５（ａ）に示すように、一方の端部は一つの開口部２５が設けられ、他方の端部には２つの開口部２６，２７が設けられ、開口部２５と開口部２６，２７とがそれぞれ、連通する構成としてもよい。さらに、この開口部２６，２７の径は、紐部材１０の径よりも若干大きく設定され、開口部２５の径は、開口部２６，２７の径よりも大きく、且つ、２本の紐部材１０，１０の径の合計よりも若干小さく設定されている。
【００３３】
これにより、２本の紐部材１０，１０を調節部２０（２１，２２，２３，２４）に挿通する際、それぞれの開口部２６，２７側から１本ずつ紐部材１０を挿入させることで、簡易に紐部材１０，１０を貫通孔２０ａ（２１ａ，２２ａ，２３ａ，２４ａ）に挿通させ、調節部２０（２１，２２，２３，２４）に係止させることができる。
【００３４】
一方、開口部２５の径は２本の紐部材１０，１０の径の合計よりも若干小さく設定されているので、２本の紐部材１０，１０が挿通した状態では、開口部２５部分の摺動に多少の押圧力が必要となり、調節部２０（２１，２２，２３，２４）を紐部材１０，１０上の所定の位置で固定させるようになっている。
【００３５】
また、例えば、図５（ｂ）に示すように、２つの貫通孔２８，２９を設け、それぞれの貫通孔２８，２９に１本の紐部材１０を挿通させる構成としてもよい。この際、貫通孔２８，２９の径は、紐部材１０の径よりも若干小さく設定され、調節部２０の摺動には多少の押圧力が必要とし、通常時は紐部材１０，１０上の所定の位置で固定されるようになっている。
【００３６】
また、上述した実施形態では、第４の調節部２４によって、環状１３ａの径の大きさを調節する構成としたが、例えば、図６に示すように、第４の調節部２４を使用せずに、第３の調節部２３のみで環状１３ａの径の大きさを調節する構成としてもよい。また、この場合、留め具５１は、紐部材１０の両端１０ａ，１０ｂにそれぞれ設けられ、通常時は両者が結合することで環状１３ａを形成し、一定以上の外力が加わった際に紐部材１０を利用者から切り離すことが可能な安全機能付きの留め具５７を用いてもよい。この場合には、例えば、ストラップ部１３を子供が引っぱるなどした場合でも即時に環状１３ａが解除されるため、ユーザの安全性を確保することができる。
【００３７】
また、上述した実施形態において、留め具５１は、紐部材１０，１０の両端１０ａ，１０ｂに固定される構成としたが、紐部材１０，１０を固定できる手段であればよく、例えば留め具５１の中心を貫通する貫通孔５１ａを有し、つまみを押圧することにより貫通孔５１ａが開き、紐部材１０，１０を挿通させる構成としてもよい。また、留め具５１は、内部のバネやスプリングの弾性力で紐部材１０，１０を把持する構成としてもよい。
【００３８】
また、上述した実施形態では、紐部材１０の両端に設けられた留め具５１，５１を係止させてストラップ部１３を環状に形成させ、第３の調節部２３、及び第４の調節部２４によって環状１３ａの径を調節する構成としたが、ストラップ部１３に環状１３ａを形成させればよく、以下のような変更を加えることができる。図７は、本変更例に係る楽器用ホルダーの全体構成を示す外観図である。
【００３９】
本変更例では、図７に示すように、ストラップ部１３は、第２の調節部２２に係止された一対の紐部材１０，１０で形成され、一対の紐部材１０，１０の端部１０ａ，１０ｂを相互に重ね合わせた重複部１４を有しており、第３の調節部２３が係止された部分から重複部１４に至る範囲で環状１３ａを形成させている。そして、本変更例において、重複部１４の両端１４ａ，１４ｂには、重複部１４の長さを調節する重複長調節部５２，５２を有する構成としている。
【００４０】
この重複長調節部５２，５２は、一つの貫通孔５２ａに２本の紐部材１０，１０を挿通させることで紐部材１０，１０を係止するビーズ部材を用いており、貫通孔５２ａは、２本の紐部材１０，１０の合計の径よりも大きな貫通孔を有しており、容易に紐部材１０，１０上をスライド移動可能となっている。そして、それぞれの重複長調節部５２，５２は、一方の紐部材の端部１０ａ，１０ｂに係止されるとともに、他方の紐部材１０，１０は貫通孔５２ａ，５２ａに挿通されるようになっている。そして、重複長調節部５２，５２を摺動させることで、重複部１４の長さを変更し、環状１３ａの径の大きさを調節可能としている。
【００４１】
なお、本変更例において、紐部材１０，１０の両端１０ａ，１０ｂには、貫通孔５２ａよりも径の大きいストッパー１５，１５が設けられており、重複長調節部５２，５２が紐部材１０，１０から外れてしまうことを防止している。
【００４２】
このような構成により、ユーザがストラップ部１３を首に掛けた場合に、重複長調節部５２，５２が首の側部に位置されることとなる。その結果、重量のある楽器３を吊下した場合であっても、重複長調節部５２，５２が首を押圧することがなく、また、紐部材が二重になるため、首に係る負荷を軽減し、長時間の使用が可能となる。さらに、重複部１４において一対の紐部材１０，１０が重ね合わされて二重となっているため、ユーザとの接触面積が大きくなり、摩擦抵抗が増大することから、ストラップ部１３がずり落ちにくくなる。また、摩擦抵抗が増大することにより、重複長調節部５２，５２の紐部材に対する締付力を小さくすることができ、重複部１４の長さ調節の際、重複長調節部５２，５２の操作時における抵抗を小さくすることができ、操作性を向上させることができる。
【００４３】
また、本変更例では、この紐部材１０，１０に位置固定部材６０，６０が設けられている。位置固定部材６０，６０は、例えば、ゴムやビニルなどの軟性合成樹脂によって管状に形成され、重複長調節部５２と第２の調節部２２との間の紐部材１０に取り付けられ、スライド移動可能となっている。
【００４４】
この位置固定部材６０，６０は、重複長調節部５２，５２の貫通孔５２ａ，５２ａに嵌め込むことができる程度の大きさとなっており、位置固定部材６０，６０を重複長調節部５２，５２の貫通孔５２ａ，５２ａに差し込むことで、摩擦力を生じさせ、重複長調節部５２，５２を固定させることで、ストラップ部１３の環状１３ａの径を維持するようになっている。
【００４５】
なお、本変更例において、重複長調節部５２，５２は一つの貫通孔に２本の紐部材１０，１０を挿通させる構成としたが、本発明はこれに限定するものではなく、種々の変更を加えることができる。図８、及び図１０は、本変更例に係る重複長調節部５３（５４，５５）の構成を示す平面図であり、図９、及び図１１は、本変更例に係る使用時における重複長調節部５６の係止状態を示す説明図である。
【００４６】
例えば、図８に示すように、ビーズ部材を２つ連結させた一対の重複長調節部５３を用いてもよい。本変更例における一対の重複長調節部５３は、重複部１４の両端１４ａ，１４ｂに設けられ、一方の重複長調節部５５，５５は一方の紐部材の端部１０ａ，１０ｂに係止されるとともに、他方の重複長調節部５４，５４は他方の紐部材１０，１０に挿通されるようになっている。
【００４７】
本変更例において、一方の重複長調節部５５、及び他方の重複長調節部５４には、それぞれビーズ部材を貫通する貫通孔５４ａ，５５ａを有しており、貫通孔５４ａ，５５ａは、紐部材１０の径より若干大きめな径を有している。
【００４８】
そして、重複長調節部５３，５３は、他方の重複長調節部５４，５４が、反対側に配置された一方の重複長調節部５５，５５から第２の調節部２２に至る範囲の紐部材１０，１０上をスライド移動可能となっている。
【００４９】
このような構成により、本変更例では、図８（ｂ）に示すように、他方の重複長調節部５４，５４をスライド移動させて他方の紐部材１０，１０の両端１０ａ，１０ｂ近傍に位置させることで、ストラップ部１３の環状１３ａの径を最大とすることができ、容易に首に掛けることができる。また、使用時には、図８（ａ）に示すように、他方の重複長調節部５４，５４をスライド移動させ、紐部材１０の両端１０ａ，１０ｂから所定距離に位置させることで、ストラップ部１３の径の大きさを調節でき、ユーザに応じたストラップ部１３の径に調節することができる。
【００５０】
また、このような構成を有する一対の重複長調節部５３には、使用時において、ストラップ部１３の径の大きさを維持する機能も備えている。
【００５１】
詳述すると、楽器用ホルダー１に楽器３を嵌合した場合、ストラップ部１３を首に掛けない状態では、楽器３の重量により、紐部材１０，１０には下方に向けてテンションが生じることで、一対の重複長調節部５３，５３には、図９に示すように、一方の重複長調節部５５，５５には、上方に向けてテンションが発生し、他方の重複長調節部５４，５４には、下方に向けてテンションが発生する。そのため、重複長調節部５３，５３は、紐部材１０の両端１０ａ，１０ｂ近傍までスライド移動させることができ、ユーザは、スムーズにストラップ部１３の径を適切な大きさに拡げることができる。
【００５２】
さらに、本変更例の構成では、ストラップ部１３を首に掛けた場合には、首の後方に位置する重複部１４には摩擦力が生じて固定されるため、一対の重複長調節部５３，５３を支点として、左右に分かれた紐部材１０，１０が互いに力点、作用点とって引き合うこととなり、固定される。これにより、一対の重複長調節部５３，５３は、紐部材１０，１０上をスライド移動することがなく、ストラップ部１３の環状１３ａの径を維持した状態で、楽器３を保持するようになっている。また、位置固定部材６０，６０を貫通孔５６ｂ，５６ｂに差し込むことで、さらに、ストラップ部１３の径の大きさを維持することができる。
【００５３】
また、他の変更例では、図１０に示すように、それぞれの紐部材１０，１０を貫通する貫通孔５６ａ，５６ｂを２つ有する円盤状の重複長調節部５６，５６を重複部１４の両端１４ａ，１４ｂに配置させる構成としてもよい。具体的に、重複長調節部５６は、円盤状の側面を貫通する２つの貫通孔５６ａ，５６ｂを有しており、この貫通孔５６ａ，５６ｂは紐部材１０の径よりも若干大きな径を有している。
【００５４】
そして、本変更例では、重複長調節部５６，５６の一方の貫通孔５６ａ，５６ａに一方の紐部材の端部１０ａ，１０ｂを挿通させて係止する。また、他方の貫通孔５６ｂ，５６ｂには、他方の紐部材１０，１０を挿通させて、反対側に配置された重複長調節部５６，５６から第２の調節部２２に至る範囲に亘って、スライド自在な状態となっている。
【００５５】
このような構成により、本変更例では、他方の貫通孔５６ｂ，５６ｂをスライド移動させて他方の紐部材１０，１０の両端１０ａ，１０ｂ近傍に位置させることで、ストラップ部１３の環状１３ａの径を最大とすることができ、容易に首に掛けることができる。また、使用時には、他方の貫通孔５６ｂ，５６ｂをスライド移動させ、他方の紐部材１０の両端１０ａ，１０ｂから所定距離を有する位置に位置させることで、ストラップ部１３の径の大きさを調節でき、ユーザに応じたストラップ部１３の径に調節することができる。
【００５６】
また、このような構成を有する重複長調節部５６にも、ストラップ部１３の径の大きさを維持する機能も備えている。具体的には、ストラップ部１３を首に掛けた場合、首の後方に位置する二重の紐部材１０，１０には摩擦力が生じて固定されるため、図１１に示すように、重複長調節部５６，５６を支点として、左右に分かれた紐部材１０，１０が互いに力点、作用点とって引き合うこととなり、固定される。これにより、重複長調節部５６，５６は、紐部材１０，１０上をスライド移動することがなく、ストラップ部１３の環状１３ａの径を維持した状態で、楽器３を保持するようになっている。また、位置固定部材６０，６０を貫通孔５６ｂ，５６ｂに差し込むことで、さらに、ストラップ部１３の径の大きさを維持することができる。
【００５７】
さらに、重複長調節部５６の表面５６ｃは、例えば、ゴムなどの弾性や、接着テープなどの粘着性を有する部材によって形成され、肩と接する面に一定の摩擦力を生じさせるようになっている。これにより、より重複長調節部５６の係止状態は維持されるので、ストラップ部１３の径の大きさを維持することができる。なお、本変更例において、重複長調節部５６，５６は、円盤状の形状としたが、本発明は、これに限定するものではなく、種々の形状を用いることができ、例えば、球状や多角形に形成されていてもよい。
【符号の説明】
【００５８】
ＣＬ１，ＣＬ２，ＣＬ３，ＣＬ４，ＣＬ５，ＣＬ６…中心線
ＣＰ１，ＣＰ２…中心点
Ｌ１，Ｌ２…所定距離
Ｐ１，Ｐ２，Ｐ３，Ｐ４…接点
１…楽器用ホルダー
２…ユーザ
３…楽器
１０…紐部材
１０，１０…紐部材
１０ａ，１０ｂ…両端
１１…第１の環状部
１２…第２の環状部
１３…ストラップ部
１３ａ…環状
１４…重複部
１４ａ，１４ｂ…端部
２０…調節部
２０ａ…貫通孔
２１…第１の調節部
２２…第２の調節部
２３…第３の調節部
２４…第４の調節部
２５，２６，２７…開口部
２８，２９…貫通孔
３１…唄口部
３２…頭部管
３３…凸部
３４…中部管
４１…滑止部材
４１ａ…貫通孔
４２…ビーズ部材
５１…留め具
５２，５３，５６…重複長調節部
５１ａ，５２ａ，５４ａ，５５ａ，５６ｂ…貫通孔
５４…一方の重複長調節部
５５…他方の重複長調節部
５６ｃ…表面
５７…留め具
【図１】
0005780586.tif 000002
【図２】
0005780586.tif 000003
【図３】
0005780586.tif 000004
【図４】
0005780586.tif 000005
【図５】
0005780586.tif 000006
【図６】
0005780586.tif 000007
【図７】
0005780586.tif 000008
【図８】
0005780586.tif 000009
【図９】
0005780586.tif 000010
【図１０】
0005780586.tif 000011
【図１１】
0005780586.tif 000012